(57)【要約】【課題】梱包体の使用を避け、損傷することなく安定した状態で２つの椅子を一組にして裸搬送できる椅子用輸送具を提供すること。【解決手段】一方の椅子Ｃ１の上に他方の椅子Ｃ２を反転させた状態で載置して両椅子Ｃ１、Ｃ２を載置して輸送するための椅子用輸送具Ａであって、両椅子Ｃ１、Ｃ２間には、相対向する背もたれ４ａ、４ｂ同士を離間させ、かつ各座面２ａ、２ｂと対向する相手側の背もたれ４ａ、４ｂを離間させる緩衝体１が挿入され、この緩衝体１には各椅子Ｃ１、Ｃ２の少なくとも背もたれ部上部を覆う上下部袋体Ｆ２、Ｆ１が設けられているので、２つの椅子Ｃ１、Ｃ２を安定保持できる。【選択図】  図１
2004161284.tif 000002
【特許請求の範囲】
【請求項１】
一方の椅子の上に他方の椅子を反転させた状態で載置して輸送するための椅子用輸送具であって、両椅子間には、相対向する背もたれ同士を離間させ、かつ各座面と対向する相手側の背もたれを離間させる緩衝体が挿入され、該緩衝体は、各椅子の少なくとも背もたれ上部を覆う袋状カバー部を有していることを特徴とする椅子用輸送具。
【請求項２】
前記緩衝体を両椅子の各座面間に挿入する請求項１に記載の椅子用輸送具。
【請求項３】
前記緩衝体を両椅子の各肘掛け部間に挿入する請求項１に記載の椅子用輸送具。
【請求項４】
前記緩衝体は、各背もたれに当接可能に構成されている請求項１ないし３の何れかに記載の椅子用輸送具。
【請求項５】
前記緩衝体は、前記両椅子が回転支柱を有する椅子である場合は、他方の椅子の回転支柱が一方の椅子の回転支柱の略直上にあるように構成されている請求項１ないし４の何れかに記載の椅子用輸送具。
【請求項６】
前記緩衝体は、流体の出し入れにより緩衝体としての形状と、収縮した保管形状に可変である可変膨張体で構成されている請求項１ないし５の何れかに記載の椅子用輸送具。
【請求項７】
前記緩衝体は、各座面と対向する相手側の背もたれ間に挿入される補助緩衝体を有している請求項１ないし６に記載の椅子用輸送具。
【発明の詳細な説明】
【０００１】
【発明の属する技術分野】
本発明は、一方の椅子の上に他方の椅子を反転させた状態で載置して輸送するための椅子用輸送具に関する。
【０００２】
【従来の技術】
従来、椅子をトラック輸送する場合、例えば緩衝機能を有する梱包用箱体（特許文献１，２参照）に詰め込んで、複数段に重ねて輸送していた。しかし近年、梱包用箱体は、使用後は嵩張るゴミ体としてとらえられ、環境問題の観点からも好ましいものではなかった。しかも梱包に時間や手間が掛かり、また梱包により無駄な空間部ができるので輸送効率も悪かった。最近では、梱包せずに極力裸の状態で運送して梱包材の廃棄処分量を少なくした特殊な運搬用梱包容器も開発されている（特許文献３参照）。
【０００３】
【特許文献１】
特開平７−７６３７４号公報（第２−３頁、第１図）
【特許文献２】
実用新案登録第３０１３６３４号公報（段落０００８，０００９，００１４から００１６、第１図）
【特許文献３】
実用新案登録第３００９３７６号公報（段落００１２、００１３、第１図）
【０００４】
【発明が解決しようとする課題】
しかしながら、特許文献３に記載のものは、裸搬送に近いが、廃棄梱包体を完全になくしたものではなく、しかも空間利用のために積み重ねて搬送する重ね搬送には不向きであった。そして、積載効率を上げるため２つの椅子を一組にして裸搬送しようとすると、椅子の背もたれや座面或いは肘掛け部がぶつかり合って損傷する恐れがあった。
【０００５】
本発明は、このような状況に鑑みてなされたものであり、梱包体の使用を避け、損傷することなく安定した状態で２つの椅子を一組にして裸搬送できる椅子用輸送具を提供することを目的とするものである。
【０００６】
【課題を解決するための手段】
上記課題を解決するために、本発明の椅子用輸送具は、一方の椅子の上に他方の椅子を反転させた状態で載置して輸送するための椅子用輸送具であって、両椅子間には、相対向する背もたれ同士を離間させ、かつ各座面と対向する相手側の背もたれを離間させる緩衝体が挿入され、該緩衝体は、各椅子の少なくとも背もたれ上部を覆う袋状カバー部を有していることを特徴としている。
この特徴によれば、緩衝体により座面と相手側の背もたれが離間した状態で２つの椅子を袋状カバー部で拘束しているので、損傷することなく安定した状態で２つの椅子を一組にして裸搬送できる。
【０００７】
本発明の椅子用輸送具おいて、前記緩衝体を両椅子の各座面間に挿入することが好ましい。
これによれば、座面は比較的平らで広い面積を有しているので、緩衝体を安定して載置できる。
【０００８】
本発明の椅子用輸送具おいて、前記緩衝体を両椅子の各肘掛け部間に挿入することが好ましい。
これによれば、肘掛け部を備えた椅子の場合にも、この肘掛け部間に緩衝体を挿入することで椅子同士の損傷を避けることができる。
【０００９】
本発明の椅子用輸送具おいて、前記緩衝体は、各背もたれに当接可能に構成されていることが好ましい。
これによれば、緩衝体を各背もたれに当接し得るように構成してあるので、椅子同士がより安定した状態で組み付けられる。
【００１０】
本発明の椅子用輸送具において、前記緩衝体は、前記両椅子が回転支柱を有する椅子である場合は、他方の椅子の回転支柱が一方の椅子の回転支柱の略直上にあるように構成されていることが好ましい。
これによれば、椅子同士の回転支柱を略同一垂直線上にあるようにすることで、組み付けた椅子の安定性が図れる。
【００１１】
本発明の椅子用輸送具において、前記緩衝体は、流体の出し入れにより緩衝体としての形状と、収縮した保管形状に可変である可変膨張体で構成されていることが好ましい。
これによれば、搬送後は収縮させて保管できるので、トラック輸送する場合にも積載空間を妨げない。
【００１２】
本発明の椅子用輸送具おいて、前記緩衝体は、各座面と対向する相手側の背もたれ間に挿入される補助緩衝体を有していることが好ましい。
これによれば、万一反転して載置した他方の椅子がぐらついても、補助緩衝体によりそのぐらつきを抑えて各座面と対向する相手側の背もたれとの衝突を防ぐことができる。
【００１３】
【発明の実施の形態】
以下、本発明の実施例を図面に基づいて説明する。
【００１４】
本発明の椅子用輸送具に付き図１、図２を参照して説明する。図１は第１実施形態に係る椅子用輸送具を上下に組み付けた２つの椅子に適用した状態を示す側面図であり、図２は第１実施形態に係る椅子用輸送具の全体斜視図である。
【００１５】
図１に示す符号１は、使用状態では、側面に設けられた流体充填口Ｒを介して例えば圧縮空気を充填膨張させて所定形状に形成され、不使用状態では、空気を抜くことにより収縮した保管形状に可変である可変膨張体から成る緩衝体であり、例えば合成樹脂またはゴム材で構成されている。
【００１６】
この緩衝体１は、一方の椅子Ｃ１の上に他方の椅子Ｃ２を反転させた状態で載置して輸送する際に、互いに相対向する座面２ａと２ｂ間ないし背もたれ４ａないし４ｂの間に挿入される平坦な６面で形成される縦長の直方体であって、図２に示すように、前後に後述する平行な斜面１ｃ、１ｄを形成した側面視平行四辺形に形成され、前方斜面１ｃの下方に上部が開口する下部袋体Ｆ１（袋状カバー）を、後方斜面１ｄの上方に下部が開口する上部袋体Ｆ２（袋状カバー）を一体的に設けることにより、本発明の椅子用輸送具Ａを構成している。
【００１７】
そして、この緩衝体１は、後方斜面１ｄが一方の椅子Ｃ１の背もたれ４ａに当接すると共に、前方斜面１ｃが他方の椅子Ｃ２の背もたれ４ｂに当接することで、対向する背もたれ４ａ、４ｂ間を離間状態に保持し、その下面１ａを一方の椅子Ｃ１の座面２ａ上に載置すると共に、その上面１ｂで反転状態にある他方の椅子Ｃ２の座面２ｂを支持して、座面２ａ、２ｂと対向する相手側の背もたれを離間状態に保持するように構成されている。
【００１８】
ここで、緩衝体１の前方斜面１ｃないし後方斜面１ｄに、他方の椅子Ｃ２の背もたれ４ｂないし一方の椅子Ｃ１の背もたれ４ａをそれぞれ当接する際に、両背もたれ４ｂ、４ａの少なくとも先端を前後の斜面１ｃ、１ｄに設けられた下部袋体Ｆ１及び上部袋体Ｆ２内に開口部から挿入することで、両椅子Ｃ１、Ｃ２が一体的に拘束保持される。
【００１９】
従って、上記の椅子用輸送具Ａによれば、緩衝体１によって対向する座面２ａ、２ｂと、相対する背もたれ４ａ、４ｂとを所定距離離間させた状態で２つの椅子Ｃ１、Ｃ２の、背もたれ４ａ及び４ｂを下部袋体Ｆ１及び上部袋体Ｆ２で拘束しているので、損傷することなく安定した状態で２つの椅子を一組にして裸搬送できる。
【００２０】
また、両椅子Ｃ１、Ｃ２の各座面２ａ、２ｂは、比較的平らで広い面積を有しているので、両椅子Ｃ１、Ｃ２の各座面２ａ、２ｂ間に挿入した緩衝体１を安定して載置できる。なお、本緩衝体１は膨張時に所定形状となすために芯材となる骨格が形成されていることはいうまでもない。
【００２１】
更に、緩衝体１が、流体を排出することで収縮した保管形状に可変であるので椅子搬送後は収縮保管して、トラック輸送における積載空間を確保することができる。
【００２２】
次に、第２実施形態に係る椅子用輸送具に付き説明する。図３は第２実施形態に係る椅子用輸送具を上下に配置した肘掛け部を備えた２つの椅子に適用した状態を示す側面図である。
【００２３】
本実施形態に係る緩衝体は符号１６で示されており、この緩衝体１６は、肘掛け椅子Ｃ３、Ｃ４間に介在させて使用されるものであって、第１実施形態で使用される緩衝体１の垂直な左右側面の中間より肘掛け支持部２０を突設したもので、例えば、発泡スチロール等の所定の硬さを有する材料から成るブロック体で一体的に成形されている。
【００２４】
詳しくは、図３に示されるように、本実施形態の椅子用輸送具Ｂは緩衝体１６と下部袋体Ｆ１及び上部袋体Ｆ２から構成されている。この緩衝体１６は、肘掛け支持部２０の上下に対向配置される肘掛け椅子Ｃ３、Ｃ４の肘掛け部Ｈ１、Ｈ２にそれぞれ当接する上下支持面２０ａ、２０ｂを有し、これら上下支持面２０ａ、２０ｂに両肘掛け部Ｈ１、Ｈ２を支持されることで、肘掛け部Ｈ１、Ｈ２間に所定の離間距離が得られると共に、対向する背もたれ４ａ、４ｂ間も緩衝体１６の両斜面１ｃ、１ｄとの当接により所定の離間距離が得られた状態となる。
【００２５】
両背もたれ４ｂ、４ａの先端は下部袋体Ｆ１及び上部袋体Ｆ２内に挿入することで、両椅子Ｃ３、Ｃ４は緩衝体１６を介して一体的に拘束保持される。
【００２６】
従って、本実施形態によれば、肘掛け部４ａ、４ｂを備えた椅子Ｃ３、Ｃ４の場合にも、この肘掛け部４ａ、４ｂ間に緩衝体１６を挿入することで椅子Ｃ３、Ｃ４同士の損傷を避けることができる。
【００２７】
また、各背もたれ４ａ、４ｂがブロック体で構成される緩衝体１６に当接し得るように構成されているので、椅子Ｃ３、Ｃ４同士がより安定した状態で組み付けられる。
【００２８】
次に、第３実施形態に係る椅子用輸送具に付き図４、図５を参照して説明する。図４は第３実施形態に係る補助緩衝体を有する椅子用輸送具を上下に載置した相互の椅子に適用した状態を示す側面図、図５はその椅子用輸送具の全体斜視図である。
【００２９】
本実施形態に係る椅子用輸送具Ｃは、基本的には第１実施形態に係る椅子用輸送具Ａと同じ構成であるが、上下端部に補助緩衝体を有している点が相違している。
【００３０】
すなわち、本実施形態の緩衝体２２は、図５に示すように、前後に形成される斜面に連続する上下面に補助緩衝体となる板状の下部緩衝体２４及び上部緩衝体２５が、水平に取付けられており、下部緩衝体２４は緩衝体２２の前面から突設部２４ａが所定量前方に突設すると共に、上部緩衝体２５は緩衝体２２の後面から突設部２５ａが所定量後方に突設するよう構成されている。
【００３１】
従って、図４に示すように、上下に配置された椅子Ｃ１、Ｃ２の対向する座面２ａ、２ｂ間ないし両背もたれ４ａ、４ｂ間に椅子用輸送具Ｃを介在させた際に、両背もたれ４ｂ、４ｃの先端部と対向する座面２ａ、２ｂとの間に形成された間隙に突設部２４ａ及び２５ａを挿入することで、上方の椅子Ｃ２のぐらつきが抑制されるだけでなく、各座面２ａ、２ｂと対向する相手側の背もたれ４ａ、４ｂとの衝突を防ぐことができる。また緩衝体２２前後の下部袋体Ｆ１及び上部袋体Ｆ２内に、それぞれ背もたれ４ｂ、４ａが挿入されることで、両椅子Ｃ１、Ｃ２が一体的に拘束保持されているので転倒しにくい。
【００３２】
以上、本発明の実施例を図面により説明してきたが、具体的な構成はこれら実施例に限られるものではなく、例えば、図１において、緩衝体１をより斜めに変形させて、椅子Ｃ１、Ｃ２の回転支柱５ａ、５ｂを略同一垂直線上にあるようにすることで、反転して載置した他方の椅子Ｃ２の安定性を得るようにしてもよい。
【００３３】
【発明の効果】
本発明は以下の効果を奏する。
【００３４】
（ａ）請求項１項の発明によれば、緩衝体により座面と相手側の背もたれが離間した状態で２つの椅子を袋状カバー部で拘束しているので、損傷することなく安定した状態で２つの椅子を一組にして裸搬送できる。
【００３５】
（ｂ）請求項２項の発明によれば、座面は比較的平らで広い面積を有しているので、緩衝体を安定して載置できる。
【００３６】
（ｃ）請求項３項の発明によれば、肘掛け部を備えた椅子の場合にも、この肘掛け部間に緩衝体を挿入することで椅子同士の損傷を避けることができる。
【００３７】
（ｄ）請求項４項の発明によれば、緩衝体を各背もたれに当接し得るように構成してあるので、椅子同士がより安定した状態で組み付けられる。
【００３８】
（ｅ）請求項５項の発明によれば、椅子同士の回転支柱を略同一垂直線上にあるようにすることで、組み付けた椅子の安定性が図れる。
【００３９】
（ｆ）請求項６項の発明によれば、搬送後は収縮させて保管できるので、トラック輸送する場合にも積載空間を妨げない。
【００４０】
（ｇ）請求項７項の発明によれば、万一反転して載置した他方の椅子がぐらついても、補助緩衝体によりそのぐらつきを抑えて各座面と対向する相手側の背もたれとの衝突を防ぐことができる。
【図面の簡単な説明】
【図１】本発明の一実施形態に係る椅子用輸送具を上下に組み付けた２つの椅子に適用した状態を示す側面図である。
【図２】第１実施形態に係る椅子用輸送具の全体斜視図である。
【図３】第２実施形態に係る椅子用輸送具を上下に配置した肘掛け部を備えた２つの椅子に適用した状態を示す側面図である。
【図４】第３実施形態に係る補助緩衝体を有する椅子用輸送具を上下に載置した相互の椅子に適用した状態を示す側面図である。
【図５】第３実施形態に係る椅子用輸送具の全体斜視図である。
【符号の説明】
１                    緩衝体
１ａ                  下面
１ｂ                  上面
１ｃ                  前方斜面
１ｄ                  後方斜面
２ａ、２ｂ            座面
４ａ、４ｂ            背もたれ
１６                  緩衝体
２０                  肘掛け支持部
２０ａ                下支持面
２０ｂ                上支持面
２２                  緩衝体
２４                  下部緩衝体
２４ａ                突設部
２５                  上部緩衝体
２５ａ                突設部
Ａ、Ｂ、Ｃ            椅子用輸送具
Ｃ１、Ｃ２            椅子
Ｃ３、Ｃ４            椅子
Ｆ１                  下部袋体
Ｆ２                  上部袋体
Ｈ１、Ｈ２            肘掛け部
Ｒ                    流体充填口
【図１】
2004161284.tif 000003
【図２】
2004161284.tif 000004
【図３】
2004161284.tif 000005
【図４】
2004161284.tif 000006
【図５】
2004161284.tif 000007